【手続補正書】
【提出日】平成18年3月17日(2006.3.17)
【手続補正１】
【補正対象書類名】明細書
【補正対象項目名】特許請求の範囲
【補正方法】変更
【補正の内容】
【特許請求の範囲】
【請求項１】  所定の入力を行う第１の入力手段と、
前記第１の入力手段によって入力された情報を処理する第１の処理手段と、
前記第１の処理手段によって処理された情報を表示する第１の表示手段と
を含む情報処理装置において、
情報を表示する第２の表示手段と、
前記第２の表示手段に表示された情報が観察可能なように、前記第２の表示手段の表側に配置された、所定の入力を行う第２の入力手段と
を備えることを特徴とする情報処理装置。
【請求項２】  前記第１の処理手段は、通常動作モードにおいて、前記第２の入力手段から入力された座標データに基づいて前記第１の表示手段に情報を表示させる
ことを特徴とする請求項１に記載の情報処理装置。
【請求項３】  前記第１の処理手段は、拡張モードにおいて、前記第２の入力手段から入力される機能を選択させるためのメニューを前記第２の表示手段に表示させる
ことを特徴とする請求項１に記載の情報処理装置。
【請求項４】  前記第１の処理手段は、前記メニューから選択された機能に応じた画像を前記第２の表示手段に表示させる
ことを特徴とする請求項３に記載の情報処理装置。
【請求項５】  前記画像は、テンキーの画像である
ことを特徴とする請求項４に記載の情報処理装置。
【請求項６】  前記画像は、時刻に関する画像である
ことを特徴とする請求項４に記載の情報処理装置。
【請求項７】  前記画像は、カレンダーの画像である
ことを特徴とする請求項４に記載の情報処理装置。
【請求項８】  前記画像は、スケジュール帳の画像である
ことを特徴とする請求項４に記載の情報処理装置。
【請求項９】  前記画像は、電卓の画像である
ことを特徴とする請求項４に記載の情報処置装置。
【請求項１０】  前記第１の処理手段は、前記第２の入力手段から入力された機能に応じた処理を行う
ことを特徴とする請求項４に記載の情報処理装置。
【請求項１１】  前記第２の表示手段に表示させる機能に対応した操作手段をさらに含み、
前記第１の処理手段は、前記操作手段が操作されたとき対応する機能の画像を前記第２の表示手段に表示させる
ことを特徴とする請求項１に記載の情報処理装置。
【請求項１２】  前記操作手段は、少なくとも１つの釦からなる
ことを特徴とする請求項１１に記載の情報処理装置。
【請求項１３】  前記第２の入力手段は、前記第２の表示手段が実質的に非動作状態とされているときでも、操作に対応する座標データを出力する
ことを特徴とする請求項１に記載の情報処理装置。
【請求項１４】  前記第２の表示手段、前記第２の入力手段、および前記第２の処理手段は、前記情報処理装置に対して着脱自在とされている
ことを特徴とする請求項１に記載の情報処理装置。
【請求項１５】  所定の入力を行う第１の入力手段と、
前記第１の入力手段によって入力された情報を処理する第１の処理手段と、
前記第１の処理手段によって処理された情報を表示する第１の表示手段と
を含む情報処埋装置において、
情報を表示する第２の表示手段と、
前記第２の表示手段に表示された情報が観察可能なように、前記第２の表示手段の表側に配置された、所定の入力を行う第２の入力手段と、
前記第２の入力手段によって入力された情報を処理する第２の処埋手段と
を備えることを特徴とする情報処理装置。
【請求項１６】  前記第１の処理手段は、通常動作モードにおいて、前記第２の入力手段から入力された座標データに基づいて前記第１の表示手段に情報を表示させる
ことを特徴とする請求項１５に記載の情報処理装置。
【請求項１７】  前記第２の処理手段は、前記第２の入力手段よって入力された情報を前記第１の処理手段に供給し、
前記第１の処理手段は、前記第２の入力手段によって入力された情報を処理し、前記第１の表示手段に表示させる
ことを特徴とする請求項１５に記載の情報処理装置。
【請求項１８】  前記第２の処理手段は、拡張モードにおいて、前記第２の入力手段から入力される機能を選択させるためのメニューを前記第２の表示手段に表示させる
ことを特徴とする請求項１５に記載の情報処埋装置。
【請求項１９】  前記第２の処理手段は、前記メニューから選択された機能に応じた画像を前記第２の表示手段に表示させる
ことを特徴とする請求項１８に記載の情報処理装置。
【請求項２０】  前記第１の入力手段、前記第１の表示手段、および前記第１の処理手段に電力を供給する第１の電力供給手段と、
前記第２の入力手段、前記第２の表示手段、および前記第２の処理手段に電力を供給する第２の電力供給手段と
を備えることを特徴とする請求項１５に記載の情報処理装置。
【請求項２１】  前記第２の入力手段は、前記第２の表示手段が実質的に非動作状態とされているときでも、操作に対応する座標データを出力する
ことを特徴とする請求項１５に記載の情報処理装置。
【請求項２２】  所定の入力を行う第１の入力手段と、
前記第１の入力手段によって入力された情報を表示する第１の表示手段と、
情報を表示する第２の表示手段と、
前記第２の表示手段に表示された情報が観察可能なように前記第２の表示手段の表側に配置された所定の入力を行う第２の入力手段と
を有する情報処理装置を制御する制御方法において、
モードを検出する検出ステップを含む
ことを特徴とする制御方法。
【請求項２３】
通常動作モードにおいて、前記第２の入力手段から入力された座標データに基づいて、前記第１の表示手段に情報を表示させる表示ステップを含む
ことを特徴とする請求項２２に記載の制御方法。
【請求項２４】  拡張モードにおいて、前記第２の入力手段から入力される機能を選択させるためのメニューを前記第２の表示手段に表示させるように制御するメニュー表示ステップ
をさらに含むことを特徴とする請求項２２に記載の制御方法。
【請求項２５】  前記メニューから機能が選択されたことを検出する第２の検出ステップと、
選択された前記機能に応じた画像を前記第２の表示手段に表示させるように制御する画像表示ステップと
をさらに含むことを特徴とする請求項２４に記載の制御方法。
【請求項２６】  所定の入力を行う第１の入力手段と、
前記第１の入力手段によって入力された情報を表示する第１の表示手段と、
情報を表示する第２の表示手段と、
前記第２の表示手段に表示された情報が観察可能なように前記第２の表示手段の表側に配置された所定の入力を行う第２の入力手段と
を有する情報処理装置を制御するプログラムにおいて、
モードを検出する検出ステップを含む
ことを特徴とするプログラムが記録されている記録媒体。
【請求項２７】
通常動作モードにおいて、前記第２の入力手段から入力された座標データに基づいて前記第１の表示手段に情報を表示させる表示ステップを含む
ことを特徴とする請求項２６に記載の記録媒体。
【請求項２８】  拡張モードにおいて、前記第２の入力手段から入力される機能を選択させるためのメニューを前記第２の表示手段に表示させるように制御するメニュー表示ステップ
をさらに含むことを特徴とする請求項２６に記載の記録媒体。
【請求項２９】  前記メニューから機能が選択されたことを検出する第２の検出ステップと、
選択された前記機能に応じた画像を前記第２の表示手段に表示させるように制御する画像表示ステップと
をさらに含むことを特徴とする請求項２８に記載の記録媒体。
【請求項３０】
第１の筐体と第２の筐体とが接合部を介して開閉可能に接合される情報処理装置において、
前記第１の筐体に設けられた第１の表示手段と、
前記第２の筐体に設けられた第２の表示手段と、
前記第２の表示手段に重畳して形成されるタッチパネルと
を備えることを特徴とする情報処理装置。
【請求項３１】
前記第１の表示手段と前記第２の表示手段は、前記第１の筐体と前記第２の筐体とが閉じた状態にある場合、それらの筐体の向き合う面にそれぞれ形成される
ことを特徴とする請求項３０に記載の情報処理装置。
【請求項３２】
前記タッチパネルに対する操作を座標データとして検出する検出手段と、
検出した前記座標データに基づいて情報を処理する処理手段と、
前記処理手段により処理された情報を、前記第１の表示手段に表示させる表示制御手段と
を備えることを特徴とする請求項３０に記載の情報処理装置。
【手続補正２】
【補正対象書類名】明細書
【補正対象項目名】０００９
【補正方法】変更
【補正の内容】
【０００９】
【課題を解決するための手段】
請求項１に記載の情報処理装置は、情報を表示する第２の表示手段と、第２の表示手段に表示された情報が観察可能なように、第２の表示手段の表側に配置された、所定の入力を行う第２の入力手段とを備えることを特徴とする。
【手続補正３】
【補正対象書類名】明細書
【補正対象項目名】００１０
【補正方法】変更
【補正の内容】
【００１０】
請求項１５に記載の情報処理装置は、情報を表示する第２の表示手段と、第２の表示手段に表示された情報が観察可能なように、第２の表示手段の表側に配置された、所定の入力を行う第２の入力手段と、第２の入力手段によって入力された情報を処理する第２の処埋手段とを備えることを特徴とする。
【手続補正４】
【補正対象書類名】明細書
【補正対象項目名】００１１
【補正方法】変更
【補正の内容】
【００１１】
請求項２２に記載の制御方法は、モードを検出する検出ステップを含むことを特徴とする。
【手続補正５】
【補正対象書類名】明細書
【補正対象項目名】００１２
【補正方法】変更
【補正の内容】
【００１２】
請求項２６に記載の記録媒体は、モードを検出する検出ステップを含むことを特徴とする。
請求項３０に記載の情報処理装置は、第１の筐体に設けられた第１の表示手段と、第２の筐体に設けられた第２の表示手段と、第２の表示手段に重畳して形成されるタッチパネルとを備えることを特徴とする。
【手続補正６】
【補正対象書類名】明細書
【補正対象項目名】００１３
【補正方法】変更
【補正の内容】
【００１３】
請求項２に記載の情報処理装置、および請求項１６に記載の情報処理装置においては、第１の処理手段が、通常の動作モードにおいて、第２の入力手段から入力された座標データに基づいて、第１の表示手段に情報を表示させる。
【手続補正７】
【補正対象書類名】明細書
【補正対象項目名】００１４
【補正方法】変更
【補正の内容】
【００１４】
請求項２３に記載の制御方法、および請求項２７に記載の記録媒体のプログラムにおいては、通常の動作モードにおいて、第２の入力手段から入力された座標データに基づいて、第１の表示手段に情報が表示される。
【手続補正８】
【補正対象書類名】明細書
【補正対象項目名】０１１１
【補正方法】変更
【補正の内容】
【０１１１】
【発明の効果】
以上の如く、請求項１に記載の情報処理装置、および請求項１５に記載の情報処理装置によれば、装置を大型化することなく、多くの情報を簡単に、かつ、ポインティングデバイスとして入力することができる。
【手続補正９】
【補正対象書類名】明細書
【補正対象項目名】０１１２
【補正方法】変更
【補正の内容】
【０１１２】
請求項２２に記載の制御方法、および請求項２６に記載の記録媒体のプログラムによれば、装置を大型化することなく、多くの情報を簡単に、かつ、ポインティングデバイスとして入力することができる。